(57)【特許請求の範囲】
【請求項１】
第１の時間間隔において第１の情報を交換するための第１のシーケンスであって、当該第１のシーケンスは第１の変調されたシーケンスを生成するために前記第１の情報に基づいて変調されるものであり、前記第１の変調されたシーケンスは第１の組のサブキャリア群上にて送信されるものである、第１のシーケンスを使用し、前記第１の時間間隔と異なる第２の時間間隔において第２の情報を交換するための第２のシーケンスであって、当該第２のシーケンスは前記第１のシーケンスの巡回シフトであり、かつ第２の変調されたシーケンスを生成するために前記第２の情報に基づいて変調されるものであり、前記第２の変調されたシーケンスは前記第１の組のサブキャリア群と異なる第２の組のサブキャリア群上にて送信されるものである、第２のシーケンスを使用するように構成された少なくとも１つのプロセッサと、
前記少なくとも１つのプロセッサに接続されるメモリと
を含む無線通信のための装置。
【請求項２】
前記少なくとも１つのプロセッサは、基本シーケンスを第１の量で巡回シフトすることにより前記第１のシーケンスを生成するとともに、前記基本シーケンスを前記第１の量と異なる第２の量で巡回シフトすることにより前記第２のシーケンスを生成するように構成されている、請求項１記載の装置。
【請求項３】
前記基本シーケンスは、ＣＡＺＡＣ（一定振幅ゼロ自己相関）シーケンスである、請求項２記載の装置。
【請求項４】
前記少なくとも１つのプロセッサは、前記第１のシーケンス及び前記第１の情報に対する第１の変調記号に基づいて前記第１の変調されたシーケンスを生成し、前記第２のシーケンス及び前記第２の情報に対する第２の変調記号に基づいて前記第２の変調されたシーケンスを生成し、前記第１の時間間隔において前記第１の変調されたシーケンスを送信し、前記第２の時間間隔において前記第２の変調されたシーケンスを送信するように構成されている、請求項１記載の装置。
【請求項５】
前記少なくとも１つのプロセッサは、前記第１の時間間隔においてＫ個の連続するサブキャリア群上にて前記第１の変調されたシーケンス用のＫ個の記号群を送信し、前記第２の時間間隔においてＫ個の連続するサブキャリア群上にて前記第２の変調されたシーケンス用のＫ個の記号群を送信するように構成されている、請求項４記載の装置。
【請求項６】
前記少なくとも１つのプロセッサは、前記第１のシーケンス用のＫ個のサンプル群の各々を前記第１の変調記号に乗算して前記第１の変調されたシーケンス用のＫ個の記号群のうちの該当する１つを取得し、前記第２のシーケンス用のＫ個のサンプル群の各々を前記第２の変調記号に乗算して前記第２の変調されたシーケンス用のＫ個の記号群のうちの該当する１つを取得するように構成されている、請求項４記載の装置。
【請求項７】
前記少なくとも１つのプロセッサは、肯定応答（ＡＣＫ）情報のみ、又はチャネル品質インジケータ（ＣＱＩ）情報のみ、又は、ＡＣＫ情報とＣＱＩ情報の双方に基づいて、前記第１及び第２の変調記号群を生成するように構成されている、請求項４記載の装置。
【請求項８】
前記少なくとも１つのプロセッサは、前記第１の時間間隔において前記第１の変調されたシーケンスを受信し、前記第２の時間間隔において前記第２の変調されたシーケンスを受信し、前記第１の変調されたシーケンスを前記第１のシーケンスに関連付けて前記第１の時間間隔において送信された前記第１の情報を取得し、前記第２の変調されたシーケンスを前記第２のシーケンスに関連付けて前記第２の時間間隔において送信された前記第２の情報を取得するように構成されている、請求項１記載の装置。
【請求項９】
前記少なくとも１つのプロセッサは、前記第１の時間間隔において巡回シフト群が異なるＭ個のシーケンス群を用いることにより、Ｍ個のユーザ装置群（ＵＥ群）によって同時に送信された情報を受信するように構成され、Ｍは１以上であり、前記Ｍ個のシーケンス群は前記第１のシーケンスを含んでいる、請求項１記載の装置。
【請求項１０】
前記少なくとも１つのプロセッサは、ホッピングパターンに基づいて前記第１及び第２のシーケンス群用の巡回シフト群を決定するように構成されている、請求項１記載の装置。
【請求項１１】
前記少なくとも１つのプロセッサは、データ伝送用に割り当てられたリソース群に基づいて前記ホッピングパターンを決定するように構成されている、請求項１０記載の装置。
【請求項１２】
前記ホッピングパターンは、前記第１及び第２の情報が交換されるセルに固有なものである、請求項１０記載の装置。
【請求項１３】
前記少なくとも１つのプロセッサは、Ｍ個のホッピングパターンをＭ個のユーザ装置（ＵＥ群）に割り当てるように構成され、Ｍは１以上であり、前記Ｍ個のホッピングパターンは各時間間隔における基本シーケンスのＭ個の異なる巡回リスト群に関連付けられている、請求項１記載の装置。
【請求項１４】
前記第１及び第２の時間間隔は、それぞれ、第１及び第２の記号期間に相当する、請求項１記載の装置。
【請求項１５】
前記第１及び第２の時間間隔は、それぞれ、第１及び第２のスロットに相当し、各スロットは複数の記号期間を含んでいる、請求項１記載の装置。
【請求項１６】
前記少なくとも１つのプロセッサは、第３の時間間隔における基準信号用に第３のシーケンスを使用するように構成され、前記第３のシーケンスは前記第１のシーケンスの別の巡回シフトである、請求項１記載の装置。
【請求項１７】
前記少なくとも１つのプロセッサは、第３の時間間隔における基準信号用に前記第１のシーケンス又は前記第２のシーケンスを使用するように構成されている、請求項１記載の装置。
【請求項１８】
第１の時間間隔において第１の情報を交換するための第１のシーケンスであって、当該第１のシーケンスは第１の変調されたシーケンスを生成するために前記第１の情報に基づいて変調されるものであり、前記第１の変調されたシーケンスは第１の組のサブキャリア群上にて送信されるものである、第１のシーケンスを使用し、
前記第１の時間間隔と異なる第２の時間間隔において第２の情報を交換するための第２のシーケンスであって、当該第２のシーケンスは前記第１のシーケンスの巡回シフトであり、かつ第２の変調されたシーケンスを生成するために前記第２の情報に基づいて変調されるものであり、前記第２の変調されたシーケンスは前記第１の組のサブキャリア群と異なる第２の組のサブキャリア群上にて送信されるものである、第２のシーケンスを使用する
ことを含む無線通信のための方法。
【請求項１９】
基本シーケンスを第１の量で巡回シフトすることにより前記第１のシーケンスを生成し、
前記基本シーケンスを前記第１の量と異なる第２の量で巡回シフトすることにより前記第２のシーケンスを生成する
ことを更に含む請求項１８記載の方法。
【請求項２０】
前記第１の情報を交換するための前記第１のシーケンスを使用することは、前記第１のシーケンス及び前記第１の情報に対する第１の変調記号に基づいて前記第１の変調されたシーケンスを生成することと、前記第１の時間間隔において前記第１の変調されたシーケンスを送信することとを含み、前記第２の情報を交換するための前記第２のシーケンスを使用することは、前記第２のシーケンス及び前記第２の情報に対する第２の変調記号に基づいて前記第２の変調されたシーケンスを生成することと、前記第２の時間間隔において前記第２の変調されたシーケンスを送信することとを含む、請求項１８記載の方法。
【請求項２１】
前記第１の変調されたシーケンスを送信することは、前記第１の時間間隔においてＫ個の連続するサブキャリア群上にて前記第１の変調されたシーケンス用のＫ個の記号群を送信することを含み、前記第２の変調されたシーケンスを送信することは、前記第２の時間間隔においてＫ個の連続するサブキャリア群上にて前記第２の変調されたシーケンス用のＫ個の記号群を送信することを含む、請求項２０記載の方法。
【請求項２２】
肯定応答（ＡＣＫ）情報のみ、又はチャネル品質インジケータ（ＣＱＩ）情報のみ、又はＡＣＫ情報とＣＱＩ情報の双方に基づいて、前記第１及び第２の変調記号群を生成することを更に含む、請求項２０記載の方法。
【請求項２３】
前記第１の情報を交換するための前記第１のシーケンスを使用することは、前記第１の時間間隔において前記第１の変調されたシーケンスを受信することと、前記第１の変調されたシーケンスを前記第１のシーケンスに関連付けて前記第１の時間間隔において送信された前記第１の情報を取得することとを含み、前記第２の情報を交換するための前記第２のシーケンスを使用することは、前記第２の時間間隔において前記第２の変調されたシーケンスを受信することと、前記第２の変調されたシーケンスを前記第２のシーケンスに関連付けて前記第２の時間間隔において送信された前記第２の情報を取得することとを含む、請求項１８記載の方法。
【請求項２４】
前記第１の時間間隔において巡回シフト群が異なるＭ個のシーケンス群を用いることにより、Ｍ個のユーザ装置群（ＵＥ群）によって同時に送信された情報を受信することを更に含み、Ｍは１以上であり、前記Ｍ個のシーケンス群は前記第１のシーケンスを含んでいる、請求項１８記載の方法。
【請求項２５】
第１の時間間隔において第１の情報を交換するための第１のシーケンスであって、当該第１のシーケンスは第１の変調されたシーケンスを生成するために前記第１の情報に基づいて変調されるものであり、前記第１の変調されたシーケンスは第１の組のサブキャリア群上にて送信されるものである、第１のシーケンスを使用する手段と、
前記第１の時間間隔と異なる第２の時間間隔において第２の情報を交換するための第２のシーケンスであって、当該第２のシーケンスは前記第１のシーケンスの巡回シフトであり、かつ第２の変調されたシーケンスを生成するために前記第２の情報に基づいて変調されるものであり、前記第２の変調されたシーケンスは前記第１の組のサブキャリア群と異なる第２の組のサブキャリア群上にて送信されるものである、第２のシーケンスを使用する手段と
を有する無線通信のための装置。
【請求項２６】
基本シーケンスを第１の量で巡回シフトすることにより前記第１のシーケンスを生成する手段と、
前記基本シーケンスを前記第１の量と異なる第２の量で巡回シフトすることにより前記第２のシーケンスを生成する手段と
を含む請求項２５記載の装置。
【請求項２７】
前記第１の情報を交換するための前記第１のシーケンスを使用する手段は、前記第１のシーケンス及び前記第１の情報に対する第１の変調記号に基づいて前記第１の変調されたシーケンスを生成する手段と、前記第１の時間間隔において前記第１の変調されたシーケンスを送信する手段とを含み、前記第２の情報を交換するための前記第２のシーケンスを使用する手段は、前記第２のシーケンス及び前記第２の情報に対する第２の変調記号に基づいて前記第２の変調されたシーケンスを生成する手段と、前記第２の時間間隔において前記第２の変調されたシーケンスを送信する手段とを含む、請求項２５記載の装置。
【請求項２８】
前記第１の変調されたシーケンスを送信する手段は、前記第１の時間間隔においてＫ個の連続するサブキャリア群上にて前記第１の変調されたシーケンス用のＫ個の記号群を送信する手段を含み、前記第２の変調されたシーケンスを送信する手段は、前記第２の時間間隔においてＫ個の連続するサブキャリア群上にて前記第２の変調されたシーケンス用のＫ個の記号群を送信する手段を含む、請求項２７記載の装置。
【請求項２９】
肯定応答（ＡＣＫ）情報のみ、又はチャネル品質インジケータ（ＣＱＩ）情報のみ、又はＡＣＫ情報とＣＱＩ情報の双方に基づいて、前記第１及び第２の変調記号群を生成する手段を更に含む、請求項２９記載の装置。
【請求項３０】
前記第１の情報を交換するための前記第１のシーケンスを使用する手段は、前記第１の時間間隔において前記第１の変調されたシーケンスを受信する手段と、前記第１の変調されたシーケンスを前記第１のシーケンスに関連付けて前記第１の時間間隔において送信された前記第１の情報を取得する手段とを含み、前記第２の情報を交換するための前記第２のシーケンスを使用する手段は、前記第２の時間間隔において前記第２の変調されたシーケンスを受信する手段と、前記第２の変調されたシーケンスを前記第２のシーケンスに関連付けて前記第２の時間間隔において送信された前記第２の情報を取得する手段とを含む、請求項２５記載の装置。
【請求項３１】
前記第１の時間間隔において巡回シフト群が異なるＭ個のシーケンス群を用いることにより、Ｍ個のユーザ装置群（ＵＥ群）によって同時に送信された情報を受信する手段を更に含み、Ｍは１以上であり、前記Ｍ個のシーケンス群は前記第１のシーケンスを含んでいる、請求項２５記載の装置。
【請求項３２】
前記第１及び第２の組のサブキャリア群は、整数のリソースブロック群に対応する等しい数のサブキャリア群を含む、請求項１記載の装置。
【請求項３３】
前記少なくとも１つのプロセッサは、前記第１のシーケンス及び前記第１の情報に対する第１の変調記号に基づいて前記第１の変調されたシーケンスを生成し、前記第１の組のサブキャリア群にマッピングされた前記第１の変調されたシーケンスと共に、第１の単一搬送波周波数分割多元接続（ＳＣ−ＦＤＭＡ）記号を生成し、前記第２のシーケンス及び前記第２の情報に対する第２の変調記号に基づいて前記第２の変調されたシーケンスを生成し、前記第２の組のサブキャリア群にマッピングされた前記第２の変調されたシーケンスと共に、第２のＳＣ−ＦＤＭＡ記号を生成するように構成されている、請求項１記載の装置。
【請求項３４】
前記第２の情報は、前記第１の情報と同じものである、請求項１記載の装置。
【請求項３５】
前記第１及び第２の組のサブキャリア群は、整数のリソースブロック群に対応する等しい数のサブキャリア群を含む、請求項１８記載の方法。
【請求項３６】
前記第１の情報を交換するための前記第１のシーケンスを使用することは、前記第１のシーケンス及び前記第１の情報に対する第１の変調記号に基づいて前記第１の変調されたシーケンスを生成することと、前記第１の組のサブキャリア群にマッピングされた前記第１の変調されたシーケンスと共に、第１の単一搬送波周波数分割多元接続（ＳＣ−ＦＤＭＡ）記号を生成することとを含み、前記第２の情報を交換するための前記第２のシーケンスを使用することは、前記第２のシーケンス及び前記第２の情報に対する第２の変調記号に基づいて前記第２の変調されたシーケンスを生成することと、前記第２の組のサブキャリア群にマッピングされた前記第２の変調されたシーケンスと共に、第２のＳＣ−ＦＤＭＡ記号を生成することとを含む、請求項１８記載の方法。
【請求項３７】
前記第２の情報は、前記第１の情報と同じものである、請求項１８記載の方法。
【請求項３８】
前記第２の情報は、前記第１の情報と同じものである、請求項２５記載の装置。
【請求項３９】
請求項１８乃至２４および請求項３５乃至３７のいずれかに記載の手順をコンピュータに実行させるためのプログラムを記録したコンピュータ読み取り可能な記録媒体。
【発明の詳細な説明】
【優先権の主張】
【０００１】
本出願は、譲受人に譲渡され、参照により本出願に組み込まれている、２００７年１月１０日に出願した「ＵＬ単一キャリアＦＣＭＡにおける干渉ランダム化のための応答ホッピングのための方法及び装置」と題する米国出願第６０／８８４，４０３号の優先権を主張するものである。
【技術分野】
【０００２】
本開示は、一般には通信に関し、特に、無線通信システムにおいて情報を伝送するための技術に関する。
【背景技術】
【０００３】
無線通信システムは、音声、映像、パケットデータ、メッセージング、放送、などのような様々な通信コンテンツを提供するために広く展開されている。これらの無線システムは、有用なシステムリソースを共有することにより多数のユーザを支援することが可能な多元接続システムであってもよい。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及び単一搬送波ＦＤＭＡ（ＳＣ−ＦＤＭＡ）システムを含む。
【０００４】
無線通信システムにおいて、基地局は、下り回線上の１つ又は複数のユーザ装置群（ＵＥ群）にデータを送信してもよいし、上り回線上のＵＥ群から制御情報を受信してもよい。下り回線（あるいはフォワードリンク）は、基地局からＵＥ群までの通信リンクを指し、上り回線（あるいはリバースリンク）は、ＵＥから基地局へ通信リンクを指す。システムパフォーマンスを改善するためには、制御情報をできるだけ効率的に伝送することが望ましい。
【発明の概要】
【０００５】
ここには、巡回シフトシーケンス（cyclically shifted sequence）を用いて情報を伝送するための技術が記述されている。巡回シフトシーケンスは、基本シーケンスを異なる量で巡回リストすることにより得られてもよい。基本シーケンスは、ＣＡＺＡＣ（一定振幅ゼロ自己相関）シーケンス、擬似乱数（ＰＮ）シーケンス、あるいは良好な相関特性を有するいくつかの別のシーケンスであってもよい。情報は、巡回シフトシーケンス上で変調されて局在周波数分割多重化（ＬＦＤＭ）のような変調技術を用いて送られてもよい。
【０００６】
ある設計においては、第１のシーケンスは、基本シーケンスを最初の量で巡回シフトすることにより生成されてもよいし、また、第２のシーケンスは、基本シーケンスを第２の量で巡回シフトすることにより生成されてもよい。第１及び第２のシーケンスに対する巡回シフトは、各時間間隔における巡回シフトの量を示すホッピングパターンに基づいて決定されてもよい。ホッピングパターンは、データ伝送用に割り当てられたリソースに基づいて決定されてもよいし、また、セルに固有なものであってもよい。第１のシーケンスは、第１の時間間隔において情報を交換する（例えば、送信する又は受信する）ために使用されてもよい。第２のシーケンスは、第２の時間間隔において情報を交換するために使用されてもよい。第１及び第２の時間間隔は、異なる記号期間、異なるスロット、異なるサブフレーム、などに対応していてもよい。
【０００７】
情報を送信するためのある設計においては、第１の変調されたシーケンスは、第１のシーケンス及び第１の変調記号に基づいて生成されてもよい。第２の変調されたシーケンスは、第２のシーケンス及び第２の変調記号に基づいて生成されてもよい。第１及び第２の変調されたシーケンスは、それぞれ、第１及び第２の時間間隔において送信されてもよい。それぞれの変調されたシーケンスは、Ｋ個の記号群を含んでいてもよく、また、Ｋ個の連続するサブキャリア群上にて、例えばＬＦＤＭを用いて、送られてもよい。
【０００８】
情報を受信するためのある設計においては、第１及び第２の変調されたシーケンスは、第１及び第２の時間間隔において受信されてもよい。第１の変調されたシーケンスは、第１のシーケンスに関連付けられ、第１の時間間隔において送信された情報を取得してもよい。第２の変調されたシーケンスは、第２のシーケンスに関連付けられ、第２の時間間隔において送信された情報を取得してもよい。
【０００９】
開示の様々な態様及び特徴がさらに詳細に以下に記述される。
【図面の簡単な説明】
【００１０】
【図１】図１は、無線多元接続通信システムを示す。
【図２】図２は、下り回線及び上り回線上の伝送を示す。
【図３】図３は、下り回線及び上り回線の伝送構造を示す。
【図４】図４は、巡回シフトシーケンスを示す。
【図５】図５は、巡回シフトシーケンスを用いた情報の伝送を示す。
【図６Ａ】図６Ａは、ＡＣＫ及び／又はＣＱＩの伝送を示す。
【図６Ｂ】図６Ｂは、ＡＣＫ及び／又はＣＱＩの伝送を示す。
【図７】図７は、ｅＮＢ及びＵＥのブロック図を示す。
【図８】図８は、送信（ＴＸ）データ及び制御プロセッサ及び変調器を示す。
【図９】図９は、復調器及び受理（ＲＸ）データ及び制御プロセッサを示す。
【図１０】図１０は、情報を交換する過程を示す。
【図１１】図１１は、情報を送る送信する過程を示す。
【図１２】図１２は、情報を受信する過程を示す。
【図１３】図１３は、情報を交換するための装置を示す。
【発明を実施するための形態】
【００１１】
ここに記述された技術は、ＣＤＭＡ、ＴＤＭＡ、ＦＤＭＡ、ＯＦＤＭＡ、ＳＣ−ＦＤＭＡ及び他のシステムのような様々な無線通信システムに使用されてもよい。用語“システム”及び“ネットワーク”は、しばしば、互いに置き換え可能に使用される。ＣＤＭＡシステムは、ユニバーサル地上無線接続(Universal Terrestrial Radio Access)（ＵＴＲＡ）、ｃｄｍａ２０００などのような無線技術を実装していてもよい。ＵＴＲＡは、広帯域ＣＤＭＡ（Ｗ−ＣＤＭＡ）及び他のＣＤＭＡの変形を含んでいる。ｃｄｍａ２０００は、ＩＳ−２０００、ＩＳ−９５及びＩＳ−８５６基準をカバーしている。ＴＤＭＡシステムは、移動通信向け広範囲システム(Global System for Mobile Communications)（ＧＳＭ）のような無線技術を実装していてもよい。ＯＦＤＭＡシステムは、発展型ＵＴＲＡ(Evolved UTRA)（Ｅ−ＵＴＲＡ）、超移動広帯域(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、などのような無線技術を実装していてもよい。ＵＴＲＡ、Ｅ−ＵＴＲＡ及びＧＳＭは、広範囲移動通信システム（ＵＭＴＳ）の一部である。３ＧＰＰ長期発展(Long Term Evolution)（ＬＴＥ）は、Ｅ−ＵＴＲＡを用いるＵＭＴＳの来たる公開物であり、下り回線上のＯＦＤＭＡ及び上り回線上のＳＣ−ＦＤＭＡを採用している。ＵＴＲＡ、Ｅ−ＵＴＲＡ、ＧＳＭ、ＵＭＴＳ及びＬＴＥは、“第３世代パートナーシッププロジェクト”（３ＧＰＰ）という名の組織から提供される文書に記述されている。ｃｄｍａ２０００及びＵＭＢは、“第３世代パートナーシッププロジェクト２”（３ＧＰＰ２）という名の組織から提供される文書に記述されている。これらの様々な無線技術及び標準規格は当該技術において知られている。明確のため、ある技術の態様がＬＴＥに関して以下に記述される。また、記述の多くの中でＬＴＥ用語が用いられる。
【００１２】
図１は、複数の発展型ノードＢ群（ｅＮＢ群）１１０を備えた無線多元接続通信システム１００を示す。ｅＮＢは、ＵＥ群と通信する固定局であってもよく、また、ノードＢ、基地局、アクセスポイント、などと呼ばれるものであってもよい。各ｅＮＢ１１０は、特定の地理領域に対する通信可能範囲(communication coverage)を提供する。用語“セル”は、ｅＮＢの最小の通信可能範囲の領域及び／又はこの通信可能範囲の領域に提供するｅＮＢサブシステムの最小の通信可能範囲の領域を示すものであってもよい。ＵＥ群１２０は、システムの全体にわたって分散していてもよく、また、各ＵＥは、それぞれ静止していてもよく、移動していてもよい。また、ＵＥは、移動局、端末、アクセス端末、加入者ユニット、局、などと呼ばれるものであってもよい。ＵＥは、携帯電話、個人用デジタル補助装置（ＰＤＡ）、無線モデム、無線通信装置、携帯型の装置、ラップトップ・コンピュータ、コードレス電話機、などであってもよい。ＵＥは、下り回線及び上り回線上の伝送を通じてｅＮＢと通信してもよい。用語“ＵＥ”及び“ユーザ”は、ここでは置き換え可能に使用される。
【００１３】
システムは、混合自動再送信(hybrid automatic retransmission)（ＨＡＲＱ）をサポートしていてもよい。下り回線上のＨＡＲＱについては、ｅＮＢは、パケット用の伝送を送信してもよく、また、パケットが受信体であるＵＥにより正確に復号されるまで、あるいは最大数の再伝送が送信されるまで、あるいはいくつかの別の終了状態に出会うまで、１つ又は複数の再伝送を送信してもよい。パケットも、トランスポートブロック、などと呼ばれるものであってもよい。ＨＡＲＱは、データ伝送の信頼度を改善するものであってもよい。
【００１４】
図２は、ｅＮＢによる下り回線(downlink)（ＤＬ）伝送、及びＵＥによる上り回線(uplink)（ＵＬ）伝送を示している。ＵＥは、ｅＮＢのための下り回線チャネル品質を周期的に評価してもよく、また、ｅＮＢにチャネル品質インジケータ(channel quality indicator)（ＣＱＩ）を送信してもよい。ｅＮＢは、下り回線上のデータ伝送用にＵＥを選択するとともに、ＵＥへのデータ伝送用に適切なレート（例えば、変調及びコード体系）を選択するために、ＣＱＩ及び／又は他の情報を使用してもよい。ｅＮＢは、送信すべきデータがありシステムリソースが利用可能である場合、データを処理しＵＥへ伝送してもよい。ＵＥは、ｅＮＢからの下り回線データ伝送を処理してもよく、また、もしデータが正確にデコードされれば肯定応答（ＡＣＫ）を、あるいはもしデータが誤ってデコードされれば否定応答（ＮＡＣＫ）を送信してもよい。ｅＮＢは、もしＮＡＣＫが受信されればデータを再伝送してもよく、また、もしＡＣＫが受信されれば新たなデータを伝送してもよい。また、ＵＥは、送信すべきデータがありＵＥが上り回線リソースに割り当てられている場合に、上り回線上でデータをｅＮＢへ送信してもよい。
【００１５】
以降の記述では、用語“ＡＣＫ”及び“ＡＣＫ情報”は、総称してＡＣＫ及び／又はＮＡＣＫと呼ぶ。図２に示されるように、ＵＥは、所与のサブフレーム内のデータ及び／又は制御情報、あるいはいずれでもないものを伝送してもよい。制御情報は、ＡＣＫ、ＣＱＩ、などを含んでいてもよい。送信すべき制御情報の種類及び量は、ＭＩＭＯが伝送に使用されるか、送信すべきパケットの数、などのような様々な要因に依存していてもよい。簡単化のため、以降の記述の多くはＡＣＫとＣＱＩに焦点を置くものとする。
【００１６】
ＬＴＥは、下り回線上では直交周波数分割多重化（ＯＦＤＭ）を、上り回線上では単一搬送周波数分割多重化（ＳＣ−ＦＤＭ）を利用する。ＯＦＤＭ及びＳＣ−ＦＤＭは、システムの帯域幅を、一般にトーン、ビン、などと呼ばれる複数の（Ｎ個の）の直交サブキャリア群に分割する。各サブキャリアは、データで変調されてもよい。一般に、変調記号は、周波数ドメインにおいてはＯＦＤＭで送信され、時間ドメインにおいてはＳＣ−ＦＤＭで送信される。ＬＴＥにおいては、隣接するサブキャリア間の間隔は固定されてもよく、また、サブキャリアの全個数（Ｎ個）はシステムの帯域幅に依存していてもよい。例えば、Ｎは、１．２５、２．５、５、１０あるいは２０ＭＨｚのシステム帯域幅用に１２８、２５６、５１２、１０２４あるいは２０４８にそれぞれ等しいものであってもよい。
【００１７】
図３は、下り回線及び上り回線に使用されてもよい伝送構造３００の設計を示す。伝送時系列は、サブフレーム群に分割されてもよい。サブフレームは、例えば１ミリ秒（ｍｓ）の固定期間を有していてもよく、また、２つのスロットに分割されてもよい。各スロットは、固定の又は設定可能な数の記号期間をカバーしていてもよい。
【００１８】
下り回線については、Ｓ個のリソースブロック群が各スロットにおいて利用可能であってもよい。ここで、Ｓはシステム帯域幅に依存していてもよい。利用可能なリソース群は、下り回線伝送用のＵＥ群に割り当てられてもよい。ある設計においては、ＵＥは、所与のサブフーレムにおいて１つ又は複数のリソースブロック対に割り当てられてもよい。各リソースブロック対は、１つのサブフレームの２つのスロットにおいてＶ個のサブキャリア群を含んでいてもよい。
【００１９】
上り回線については、Ｎ個の全サブキャリア群は、データ部と制御部に分けられていてもよい。ある設計においては、制御部は、図３に示されるように、システム帯域幅の端に形成されてもよい。制御部は、設定可能な大きさを有していてもよく、その大きさは、ＵＥ群により上り回線上で送信する制御情報の量に基づいて選択されてもよい。データ部は、制御部に含まれていない全てのサブキャリア群を全て含んでいてもよい。図３の設計は、結果的に、連続するサブキャリア群を含むデータ部となり、単一のＵＥがデータ部における全ての連続するサブキャリア群に割り当てられてもよい。
【００２０】
ある設計においては、下り回線上の各リソースブロック対は、図３に示されるように、上り回線上の制御部における該当するリソースブロック対に関連付けられている。上り回線リソースブロック対のサイズは、下り回線リソースブロック対のサイズと一致してもよく、一致しなくてもよい。ある設計においては、上り回線リソースブロック対は、サブフレームの各スロットにＶ個の連続するサブキャリア群を含んでいる。サブフレームｔにおける下り回線リソースブロック対ｓ上で送信されたデータについては、データ及び／又は他の情報のためのＡＣＫは、関連付けられた上り回線リソースブロック対上で送信されてもよい。以下に記述されるように、複数の下り回線リソースブロック対群は、同じ上り回線リソースブロック対群にマッピングされてもよい。
【００２１】
ある態様においては、制御情報は、異なる量で巡回シフトシーケンス群を用いて送信されてもよく、それはホッピングパターンに基づいて決定されてもよい。これらのシーケンス群は、良好な相関特性を有する基本シーケンスを巡回シフトすることによって得られてもよい。基本シーケンスのために様々な種類のシーケンスが使用されてもよい。ある設計においては、基本シーケンス用にＰＮシーケンスが使用されてもよい。他の設計においては、基本シーケンス用にＣＡＺＡＣシーケンスが使用されてもよい。ＣＡＺＡＣシーケンス群は、いくつかの例として、Ｆｒａｎｋシーケンス、Ｃｈｕシーケンス、Ｚａｒｄｏｆｆ−Ｃｈｕシーケンス、汎用チャープ状(generalized chirp-like)（ＧＣＬ）シーケンスなどを含む。ＣＡＺＡＣシーケンスは、ゼロ自己相関を提供することができ、それは他の全てのオフセット群に対してゼロのオフセット及びゼロの値を有するＣＡＺＡＣシーケンスの相関のために大きな値である。ゼロ自己相関特性は、ＣＡＺＡＣシーケンスの正確な検出に有益である。
【００２２】
ある設計においては、Ｚａｒｄｏｆｆ−Ｃｈｕシーケンスは基本シーケンスに使用されてもよく、また、次のように表現されてもよい。
【数１】
0005405318.tif 000002
【００２３】
基本シーケンスパラメータλは、シーケンスの長さＫと相互にプライムとなるように選択されてもよく、それは（λ，Ｋ）＝１として表されてもよい。λの異なる値で異なる基本シーケンス群が定義されてもよい。例えば、もしＫ＝１２であれば、λは１、５、７又は１１となり、４つの基本シーケンス群がこれら４つのλの値で定義されてもよい。基本シーケンス群は、ゼロ相互相関を有しており、その結果、所与の基本シーケンスと他の基本シーケンスとの相関は全てのオフセットに対して（理想的には）ゼロである。
【００２４】
ある設計においては、ある基本シーケンスは各セルに割り当てられてもよく、また、近隣のセルは異なる基本シーケンスを割り当てられてもよい。明確のため、以下の記述の殆どは１つのセルに関するものとする。また、このセルのための基本シーケンスはｘ（ｋ）として表されてもよい。ある設計においては、セルのための基本シーケンスは、ｘ（ｋ）＝ｘλ（ｋ）となるようなＺａｒｄ−ｏｆｆ−Ｃｈｕシーケンスであってもよい。他の設計においては、セルのための基本シーケンスは、他の種類のシーケンスであってもよい。
【００２５】
基本シーケンスｘ（ｋ）は、以下のように巡回シフトされる。
【数２】
0005405318.tif 000003
【００２６】
巡回シフトａは、０からＫ−１までの範囲内の任意の値、すなわち、０≦ａ≦Ｋ−１であってもよい。
【００２７】
図４は、基本シーケンスｘ（ｋ）及び巡回シフトシーケンスｘ（ｋ、ａ）を示す。基本シーケンスｘ（ｋ）は、０からＫ−１までのサンプルインデックス群にそれぞれ対応するＫ個のサンプル群ｘ（０）〜ｘ（Ｋ−１）からなる。巡回シフトシーケンスｘ（ｋ、ａ）は、同じＫ個のサンプル群ｘ（０）〜ｘ（Ｋ−１）からなり、それらはａ個のサンプル群により巡回シフトされる。したがって、最初のＫ−ａ個のサンプル群ｘ（０）〜ｘ（Ｋ−ａ−１）は、それぞれ、サンプルインデックス群ａ〜Ｋ−１にマッピングされ、また、最後のａ個のサンプル群ｘ（Ｋ−ａ）〜ｘ（Ｋ−１）は、それぞれ、サンプルインデックス群０〜ａ−１にマッピングされる。したがって、基本シーケンスｘ（ｋ）の最後のａ個のサンプル群は、巡回シフトシーケンスｘ（ｋ、ａ）の前に移動される。
【００２８】
巡回シフトの量は、各時間間隔において基本シーケンスをどのくらい巡回シフトするのかを示すホッピングパターンに基づいて時間とともに変化してもよい。時間間隔は、所与の巡回シフトが適用可能な任意の期間であってもよい。 
記号レートのホッピングについては、巡回シフトの量は記号期間から記号期間まで変化してもよく、また、式（２）の中のａは記号期間又はインデックスの関数であってもよい。スロットのホッピングについては、巡回シフトの量はスロットからスロットまで変化してもよく、また、ａはスロットのインデックスの関数であってもよい。一般に、ホッピングは、例えば、記号期間、複数の記号期間、スロット、サブフレームなどの任意の期間の時間間隔とともに変化してもよい。明確のため、以下の記述の殆どは記号レートホッピングに関するものとする。巡回シフトシーケンスは、次のように表現されてもよい。
【数３】
0005405318.tif 000004
【００２９】
ある設計においては、巡回シフトシーケンスは、次のような情報で変調されてもよい。
【数４】
0005405318.tif 000005
【００３０】
式（４）に示される設計においては、巡回シフトシーケンスの各サンプルは、変調記号ｓｉ（ｎ）で乗算される。変調記号ｓｉ（ｎ）は、実数又は複素数であってもよい。例えば、ｓｉ（ｎ）は、二相偏移キーイング（ＢＰＳＫ）、直角位相偏移キーイング（ＱＰＳＫ）、直交振幅変調（ＱＡＭ）などのための変調記号であってもよい。
【００３１】
図５は、巡回シフトシーケンス群を伝送する設計を示している。この例においては、各スロットは７個の記号期間を含んでおり、サブフレームは０〜１３のインデックス群を備えた１４個の記号期間を含んでいる。各記号期間ｎにおいては、Ｋ個の記号群を含む変調されたシーケンスｙｉ（ｋ，ｎ）を得るため、巡回シフトシーケンスｘ（ｋ，ａｉ（ｎ））は、式（３）に示されるように、その記号期間のための巡回シフトａｉ（ｎ）に基づいて得られてもよく、また、式（４）に示されるように、変調記号ｓｉ（ｎ）で変調されてもよい。Ｋ個の記号群は、Ｋ個の連続するサブキャリア群上にて、ＳＣ−ＦＤＭの１つの変形であるＬＦＤＭを用いて送信されてもよい。連続するサブキャリア上での伝送は、低めのピーク対平均値比（ＰＡＲ）をもたらすものでもあってもよく、これは望ましいことである。異なる巡回シフトシーケンスは、異なる記号期間で用いられ、また、異なる巡回シフトａｉ（ｎ）で得られてもよい。異なる変調記号ｓｉ（ｎ）は、異なる巡回シフトシーケンス上で異なる記号期間において伝送されてもよい。簡単のために図５には示されていないが、図３に示されるように、最初のスロット用のＫ個のサブキャリア群は、２番目のスロット用のＫ個のサブキャリア群と異なっていてもよい。 
異なる巡回シフトシーケンスでのシーケンスホッピングは、隣接セル内の他のユーザからの干渉をランダム化するものであってもよい。この隣接セル内干渉のランダム化は、ＡＣＫチャネルのような制御チャネルには有益であるかもしれない。シーケンスホッピングは、もし巡回シフトシーケンス群にセル固有のスクランブルシーケンスでスクランブルがかけられなければ、干渉ランダム化に唯一の実行可能なメカニズムを提供するものであるかもしれない。
【００３２】
ある設計においては、Ｍ個の異なる巡回シフト群が、基本シーケンスのために定義されてもよく、０からＭ−１のインデックスが割り当てられてもよい。記号期間ｎにおけるユーザｉ用の巡回シフトａｉ（ｎ）は、ホッピングパターンに基づいてＭ個の見込まれる巡回シフト群の中から選択されてもよい。各記号期間においては、最多でＭ個の異なるユーザ群が、Ｍ個の異なる巡回シフト群で生成されるＭ個の巡回シフトシーケンス群を用いて、同時に情報を送信してもよい。Ｍ個の巡回シフトシーケンス群は（理想的には）ゼロ相互相関を有しているので、これらのユーザからの情報は回復可能である。 
ある設計においては、ユーザｉ用のホッピングパターンは、所定のパターンであってもよい。例えば、所定のパターンは、各記号期間において固定量νによりａｉ（ｎ）を増加させるパターンであってもよく、また、ａｉ（Ｎ＋１）＝（ａｉ（ｎ）＋ν）  ｍｏｄ  Ｍとして与えられてもよい。他の設計では、ユーザｉ用のたホッピングパターンは、各記号期間においてａｉ（ｎ）に対する偽似乱数の値を選択する擬似ランダムパターンであってもよい。
【００３３】
ある設計においては、Ｍ個の異なるホッピングパターン群は、基本ホッピングパターンのＭ個の異なる巡回シフト群に基づき、次のように定義されてもよい。
【数５】
0005405318.tif 000006
【００３４】
基本ホッピングパターンは、所定のパターン又は擬似ランダムパターンであってもよく、また、全てのユーザに知られてもよい。各ユーザは、そのインデックスｉ及び基本ホッピングパターンに基づいて、そのホッピングパターンを決定してもよい。
【００３５】
他の設計においては、Ｍ個の異なるホッピングパターン群は、セル固有のホッピングパターンに基づき、次にように定義されてもよい。
【数６】
0005405318.tif 000007
【００３６】
セル固有のホッピングパターンは、所定のパターン又は擬似ランダムパターンであってもよく、また、セル内の全てのユーザに知られてもよい。各ユーザは、そのインデックスｉ及びセル固有のホッピングパターンに基づいて、そのホッピングパターンを決定してもよい。異なるセルは、異なるセル固有のホッピングパターンを使用してもよく、それが近隣のセルの干渉のランダム化を保証するかもしれない。
【００３７】
式（５）及び（６）に示される設計においては、Ｍ個の異なるホッピングパターン群は、Ｍ個の異なる値ｉにより定義されてもよい。これらＭ個のホッピングパターン群は、２人のユーザが任意の記号期間において同じ巡回シフトを使用しないように、互いに直角になっていてもよい。Ｍ個の異なるホッピングパターン群は、同じ上り回線リソースブロック上での情報の伝送のためにＭ個の異なるユーザ群に割り当てられてもよい。
【００３８】
図３に示される設計においては、Ｓ個のリソースブロック対は、各サブフレームにおける下り回線に対して利用可能であってもよく、また、最多でＳ個のユーザ群に割り当てられてもよい。もし最多でＭ個のユーザ群が同じ上り回線リソースブロック対を共有することができるのであれば、制御部用の上り回線リソースブロック対の数は、次のように与えられてもよい。
【数７】
0005405318.tif 000008
【００３９】
各下り回線リソースブロック対は、次のように、対応する上り回線リソースブロック対にマッピングされてもよい。
【数８】
0005405318.tif 000009
【００４０】
Ｍ個の異なるホッピングパターン群は、各上り回線リソースブロック対に対して利用可能であってもよく、また、各記号期間においてＭ個の異なる巡回シフト群を選択してもよい。
【００４１】
各ユーザは、１つの下り回線リソースブロック対を割り当てられてもよく、また、Ｍ個のユーザ群は、１つの上り回線リソースブロック対を共有してもよい。式（８）での設計については、Ｍ個のユーザ群からなる第１の組は、上り回線リソースブロック対０を割り当てられてもよく、また、Ｍ個のユーザ群からなる第２の組は、上り回線リソースブロック対１などを割り当てられてもよい。ユーザ群の異なる組は、周波数分割多重化（ＦＤＭ）を通じて、異なる上り回線リソースブロック対を割り当てられてもよい。各組における最多でＭ個のユーザ群は、符号分割多重化（ＣＤＭ）を通じて、同じ上り回線リソースブロック対を共有してもよい。ユーザは、下り回線リソースブロック対ｓを割り当てられてもよく、また、上り回線リソースブロック対ｌに対するホッピングパターンｍを割り当てられてもよい。ここで、ｓは、式（８）に示されるようにｌ及びｍに関係するものであってもよい。特にｌは、ｌ＝[ｓ／Ｍ」として与えられてもよく、また、ｍは、ｍ＝ｓ  ｍｏｄ  Ｍとして与えられてもよい。ここで、“[  」”は、下限演算子（floor operator）を表している。ａｉ（ｎ）は、指定された記号期間でのｍに等しいものであってもよい。
【００４２】
式（８）は、Ｌ個の上り回線リソースブロック対群及びＭ個のホッピングパターン群に、Ｓ個の下り回線リソースブロック対群をマッピングする１つの設計を示している。ユーザ群は、下り回線リソースブロック対群、上り回線リソースブロック対群、及びホッピングパターン群は別の方法で割り当てられてもよい。一般に、ユーザは、利用可能なリソースやユーザのデータ要求などのような様々な要因に応じて、任意の数の下り回線リソースブロック対群、任意の数の上り回線リソースブロック対群、及び任意の数のホッピングパターン群を割り当てられてもよい。例えば、ユーザは、複数の下り回線リソースブロック対群（但し、１つの上り回線リソースブロック対につき、１つのホッピングパターンのみ）が割り当てられてもよい。
【００４３】
図２に示されるように、ユーザは、所与のサブフレームにおける上り回線上で、ＡＣＫのみ、又はＣＱＩのみ、又はＡＣＫとＣＱＩの双方を送信してもよい。ユーザは、例えば上述したようにＡＣＫ及び（又は）ＣＱＩを送信するための上り回線リソースブロック対及びホッピングパターンを割り当てられてもよい。ユーザは、様々な方法で、割り当てられた上り回線リソースブロック対上でＡＣＫ及び／又はＣＱＩを送信してもよい。
【００４４】
図６Ａは、巡回シフトシーケンス群を用いてＡＣＫを伝送する設計を示している。この設計においては、ＡＣＫは、１つ又は２つのパケットの肯定応答(acknowledge)用の２ビットを含んでいる。ＡＣＫ用の２ビットは、１６個の符号ビットを得るためにＡＣＫのために符号化されてもよく、それは８個のＱＰＳＫ変調記号群ｓｉ（０）〜ｓｉ（７）にマッピングされてもよい。各変調記号は、１つの巡回シフトシーケンスで送信されてもよく、また、それはｘｉ（ｋ，ｎ）＝ｘ（ｋ，ａｉ（ｎ））＝ｘ（（ｋ＋ａｉ（ｎ））  ｍｏｄ  Ｋ）として表されてもよい。
【００４５】
図６Ａに示される設計においては、最初の２つの変調記号群ｓｉ（０）及びｓｉ（１）は、それぞれ、記号期間０及び１において、２つの巡回シフトシーケンス群ｘｉ（ｋ，０）及びｘｉ（ｋ，１）で送信されてもよい。基準信号群は、記号期間２，３及び４において送信されてもよい。次の４つの変調記号群ｓｉ（２）〜ｓｉ（５）は、それぞれ、記号期間５〜８において、４つの巡回シフトシーケンス群ｘｉ（ｋ，５）〜ｘｉ（ｋ，８）で送信されてもよい。基準信号群は、記号期間９，１０及び１１において送信されてもよい。最後の２つの変調記号群ｓｉ（６）及びｓｉ（７）は、それぞれ、記号期間１２及び１３において、２つの巡回シフトシーケンス群ｘｉ（ｋ，１２）及びｘｉ（ｋ，１３）で送信されてもよい。
【００４６】
ある設計においては、各記号期間のための基準信号は、その記号期間のための非変調巡回シフトシーケンスであってもよい。この設計においては、記号期間２〜４のための基準信号は、それぞれ、３つの巡回シフトシーケンス群ｘｉ（ｋ，２）〜ｘｉ（ｋ，４）であってもよく、また、記号期間９〜１１のための基準信号群は、それぞれ、３つの巡回シフトシーケンス群ｘｉ（ｋ，９）〜ｘｉ（ｋ，１１）であってもよい。基準信号群は、別の方法で生成されてもよい。
【００４７】
図６Ｂは、巡回シフトシーケンスを用いてＣＱＩ、又はＡＣＫとＣＱＩの双方を伝送する設計を示している。ＣＱＩは、（ｉ）複数のパケット群のための、基本ＣＱＩ値及び差分ＣＱＩ値、又は（ｉｉ）１つ又は複数のパケット群のための、１つ又は複数のＣＱＩ値群を含んでいてもよい。ある設計においては、ＣＱＩは８ビットを含んでいてもよく、また、ＡＣＫは２ビットを含んでいてもよい。もしＣＱＩのみが送信されれば、ＣＰＩ用の８ビットが（２０，８）符号で符号化され、２０個の符号ビットが得られ、それらが１０個のＱＰＳＫ変調記号群ｓｉ（０）〜ｓｉ（９）にマッピングされてもよい。もしＡＣＫ及びＣＱＩの双方が送信されれば、ＡＣＫ及びＣＱＩ用の１０ビットが（２０，１０）ブロック符号で符号化され、２０個の符号ビットが得られ、それらが１０個のＱＰＳＫ変調記号群ｓｉ（０）〜ｓｉ（９）にマッピングされてもよい。この設計においては、情報ビットの数は、ＣＱＩのみ、又はＡＣＫとＣＱＩの双方が送信されるかどうかに応じて変化するが、変調記号群の数は同じままである。各変調記号は、１つの巡回シフトシーケンスで送信されてもよい。
【００４８】
図６Ｂに示される設計においては、最初の変調記号ｓｉ（０）は、記号期間１において１つの巡回シフトシーケンスｘｉ（ｋ，０）で送信されてもよい。基準信号は、記号期間１において送信されてもよい。次の３つの変調記号群ｓｉ（１）〜ｓｉ（３）は、それぞれ、記号期間２〜４において３つの巡回シフトシーケンス群ｘｉ（ｋ，２）〜ｘｉ（ｋ，４）で送信されてもよい。基準信号は、記号期間５において送信されてもよい。次の２つの変調記号群ｓｉ（４）及びｓｉ（５）は、それぞれ、記号期間６及び７において２つの巡回シフトシーケンス群ｘｉ（ｋ，６）及びｘｉ（ｋ，７）で送信されてもよい。基準信号は、記号期間８において送信されてもよい。次の３つの変調記号群ｓｉ（６）〜ｓｉ（８）は、それぞれ、記号期間９〜１１において３つの巡回シフトシーケンス群ｘｉ（ｋ，９）〜ｘｉ（ｋ，１１）で送信されてもよい。基準信号は、記号期間１２において送信されてもよい。最後の変調記号ｓｉ（９）は、記号期間１３において１つの巡回シフトシーケンスｘｉ（ｋ，１３）で送信されてもよい。各記号期間のための基準信号は、その記号期間のための非変調巡回シフトシーケンスであってもよい。記号期間１，５，８及び１２のための基準信号は、それぞれ、４つの巡回シフトシーケンス群ｘｉ（ｋ，１），ｘｉ（ｋ，５），ｘｉ（ｋ，８），及びｘｉ（ｋ，１２）であってもよい。
【００４９】
ＡＣＫのみ、又はＣＱＩのみ、又はＡＣＫとＣＱＩの双方のための変調されたシーケンスは、異なる電力レベルで、例えば基準信号レベルに対する異なるオフセット群で、伝送されてもよい。電力レベルは、ＡＣＫ及び／又はＣＱＩの伝送のための望ましい信頼性を達成するために選択されてもよい。
【００５０】
図６Ａ及び図６Ｂは、１４個の記号期間を含む上り回線リソースブロック対においてＡＣＫ及び／又はＣＱＩを伝送する特定の設計を示している。また、ＡＣＫ及び／又はＣＱＩは、別の方法で、符号化されて変調記号群にマッピングされてもよい。また、変調記号及び基準信号は、図６Ａ及び図６Ｂに示されるものと異なる記号期間において送信されてもよい。
【００５１】
一般に、情報は、符号化されて任意の数の変調記号群にマッピングされてもよく、各変調は、記号期間において巡回シフトシーケンスを用いて送信されてもよい。明確のため、上述の殆どは記号レートホッピングに対するものであり、また、異なる巡回シフトシーケンス群が異なる記号期間において用いられている。また、シーケンスホッピングは、より遅いレートで行われてもよい。この場合、同じ巡回シフトシーケンスは、複数の記号期間において用いられてもよく、また、複数の変調記号群は、同じ巡回シフトシーケンスを用いて送信されてもよい。 
図７は、図１中のｅＮＢ群の１つ及びＵＥ群の１つであるｅＮＢ１１０及びＵＥ１２０の設計のブロック図を示している。この設計においては、ＵＥ１２０にはＹ個のアンテナ群７３４ａ〜７３４ｔが備えられ、ｅＮＢ１１０にはＲ個のアンテナ群７５２ａ〜７５２ｒが備えられている。ここで、一般に、Ｔ≧１及びＲ≧１である。
【００５２】
ＵＥ１２０においては、ＴＸデータ及び制御プロセッサ７２０は、データ源７１２からトラフィックデータを受信し、トラフィックデータを処理（符号化、インターリーブ、スクランブル、及び記号マッピング）し、また、データ記号群を提供してもよい。また、プロセッサ７２０は、コントローラ／プロセッサ７４０から制御情報を受信し、制御情報を上述したように処理し、また、例えば変調されたシーケンス群のための制御記号群を提供してもよい。制御情報は、ＡＣＫ、ＣＱＩなどを含んでいてもよい。また、プロセッサ７２０は、多重パイロット信号群をデータ及び制御記号群を共に生成し、多重化してもよい。データ記号はデータ用の記号であり、制御記号は制御情報用の記号であり、パイロット記号はパイロットのための記号であり、また、記号は実数又は複素数であってもよい。データ、制御及び／又はパイロット記号群は、ＰＳＫ又はＱＡＭのような変調スキームに由来する変調記号群であってもよい。パイロットは、ｅＮＢ及びＵＥの双方によって先験的に知られているデータである。
【００５３】
ＴＸ  ＭＩＭＯプロセッサ７３０は、プロセッサ７２０からの記号群を処理（例えば事前に符号化）し、Ｔ個の出力記号ストリーム群をＴ個の変調器群（ＭＯＤ）７３２ａに提供してもよい。もしＵＥ１２０に単一のアンテナが備えられていれば、ＴＸ  ＭＩＭＯプロセッサ７３０は省略されてもよい。各変調器７３２は、その出力記号ストリーム（例えばＳＣＦＤＭ用）を処理し、出力チップストリームを取得してもよい。さらに、各変調器７３２は、その出力チップストリームを調整（例えば、アナログへの変換、フィルタリング、増幅、及び高周波変換）し、上り回線信号を生成してもよい。変調器７３２ａ〜７３２ｔからのＴ個の上り回線信号群は、それぞれ、Ｔ個のアンテナ７３４ａ〜７３４ｔを介して伝送されてもよい。
【００５４】
ｅＮＢ１１０においては、アンテナ７５２ａ〜７５２ｒは、ＵＥ１２０及び／又は他のＵＥ群から上り回線信号を受信するものであってもよい。各アンテナ７５２は、受信した信号をそれぞれの復調器（ＤＥＭＯＤ）７５４に提供してもよい。各復調器７５４は、その受信した信号を調整（例えば、フィルタリング、増幅、低周波変換、及びディジタル化）し、サンプル群を取得してもよく、さらに、サンプル群（例えば、ＳＣ−ＦＤＭ用）を処理し、復調された記号群を取得してもよい。ＲＸ  ＭＩＭＯプロセッサ７６０は、全てのＲ個の復調器７５４ａ〜７５４ｒからの復調された記号群についてＭＩＭＯ検出を行い、検出された記号群を提供してもよい。ＲＸデータ及び制御プロセッサ７７０は、検出された記号群を処理（例えば、復調、インタリーブ解除、スクランブル解除、および復号）し、復号されたデータをデータシンク７７２に提供し、また、復号された制御情報をコントローラ／プロセッサ７９０に提供してもよい。一般に、プロセッサ群７６０及び７７０による処理は、それぞれ、ＵＥ１２０において、プロセッサ群７３０及び７２０による処理と相補的である。
【００５５】
ｅＮＢ１１０は、下り回線上でトラフィックデータ及び／又は制御情報をＵＥ１２０へ送信してもよい。データ源７７８からのトラフィックデータ及び／又はコントローラー／プロセッサ７９０からの制御情報は、ＴＸデータ及び制御プロセッサ７８０によって処理され、さらに、ＴＸ  ＭＩＭＯプロセッサ７８２によって処理され、Ｒ出力記号ストリーム群を取得してもよい。Ｒ個の変調器７５４ａ〜７５４ｒは、Ｒ個の出力記号ストリーム群（例えば、ＯＦＤＭ用）を処理し、Ｒ個の出力チップストリーム群を取得してもよく、さらに、出力チップストリーム群を調整し、Ｒ個の下り回線信号群を取得してもよく、これらはＲ個のアンテナ群７５２ａ〜７５２ｒを介して伝送されてもよい。ＵＥ１２０においては、ｅＮＢ１１０からの上り回線信号群は、アンテナ群７３４ａ〜７３４ｔによって受信され、復調器７３２ａ〜７３２ｔによって調整及び処理が施され、さらに、ＲＸ  ＭＩＭＯプロセッサ７３６（適用可能な場合）及びＲＸデータ及び制御プロセッサ７３８によって処理され、ＵＥ１２０に送られたトラフィックデータ及び制御情報を回復するようにしてもよい。
【００５６】
コントローラ群／プロセッサ群７４０及び７９０は、それぞれ、ＵＥ１２０及びｅＮＢ１１０での動作を指示してもよい。メモリ群７４２及び７９２は、それぞれ、ＵＥ１２０及びｅＮＢ１１０のためのデータ及びプログラムコード群を記憶してもよい。スケジューラー７９４は、下り回線及び／又は上り回線上のデータ伝送のためにＵＥ群のスケジューリングを行ってもよく、また、スケジューリングされたＵＥ群にリソース群を割り当ててもよい。
【００５７】
図８は、図７中のＵＥ１２０におけるＴＸデータ及び制御プロセッサ７２０及び変調器の７３２ａのブロック図を示している。 
プロセッサ７２０内においては、ＴＸ制御プロセッサ８２０は、図６Ａ及び図６Ｂに示されるように、制御情報、例えばＡＣＫ及び／又はＣＱＩを受信し、処理してもよい。プロセッサ８２０は、ＵＥ１２０に割り当てられたホッピングパターンに基づいて巡回シフトシーケンス群を生成してもよく、また、これらの巡回シフトシーケンス群を制御情報用の変調記号群で変調し、変調されたシーケンス群を取得してもよい。ＴＸデータプロセッサ８２２は、トラフィックデータを処理し、データ記号群を提供してもよい。ＴＸ  ＭＩＭＯプロセッサ７３０は、プロセッサ群８２０及び８２２から記号群を受信し、多重化し、空間的処理を施し、また、Ｔ個の出力記号ストリームをＴ個の変調器群に提供してもよい。
【００５８】
各変調器７３２は、出力記号群におけるそのストリームに対してＳＣ−ＦＤＭを実施してもよい。変調器７３２ａ内においては、離散型フーリエ変換（ＤＦＴ）ユニット８３２は、各記号期間においてＱ個の出力記号群を受信してもよい。ここで、Ｑは、伝送に使用するサブキャリア群の数である。もし制御情報のみがデータ無しに送信されているのであれば、ＱはＫと等しく、割り当てられた上り回線リソースブロック対におけるサブキャリアの数に一致していてもよい。ユニット８３２は、Ｑ個の出力記号群に対してＱ点ＤＦＴを実施し、Ｑ個の周波数領域記号群を提供してもよい。スペクトル形成ユニット８３４は、Ｑ個の周波数領域記号群に対してスペクトル形成を実施し、Ｑ個のスペクトル形成された記号群を提供してもよい。記号からサブキャリアへのマッピングユニット８３６は、伝送に使用されるＱ個のサブキャリアにＱ個のスペクトル形成された記号群をマッピングし、残りのサブキャリア群にゼロ記号群をマッピングしてもよい。逆離散型フーリエ変換（ＩＤＦＴ）ユニット８３８は、Ｎ個の全サブキャリア群用のＮ個のマッピングされた記号群に対してＮ点ＩＤＦＴを実施し、有用な部分に対してＮ個の時間領域チップ群を提供してもよい。巡回プレフィックスジェネレータ８４０は、有用な部分の最後のＣ個のチップをコピーし、これらのＣ個のチップを有用な部分の前に付加し、Ｎ＋Ｃ個のチップ群を含むＳＣ−ＦＤＭ記号を形成してもよい。ＳＣ−ＦＤＭ記号は、１つの記号期間において送信されてもよく、その信号期間はＮ＋Ｃ個のチップ期間群に等しくてもよい。 
図９は、図７中のｅＮＢ１１０における復調器７５４ａならびにＲＸデータ及び制御プロセッサ７７０の設計のブロック図を示している。復調器７５４ａ内においては、巡回プレフィックスユニット９１２は、各記号期間におけるＮ＋Ｃ個の受信されたサンプル群を取得し、巡回プレフィックスに相当するＣ個の受信されたサンプル群を削除し、有用な部分に対してＮ個の受信されたサンプル群を提供してもよい。ＤＦＴユニット９１４は、Ｎ個の受信されたサンプル群に対してＮ点ＤＦＴを実施し、Ｎ個の全サブキャリア群に対してＮ個の受信された記号群を提供してもよい。これらＮ個の受信された記号群は、全ＵＥ群からｅＮＢ１１０へ伝送されるデータ及び制御情報を含んでいてもよい。以下に、ＵＥ１２０から制御情報を回復する処理が記述される。
【００５９】
記号からサブキャリアへのデマッピングを行うユニット９１６は、ＵＥ１２０により使用されたＱ個のサブキャリア群からのＱ個の受信された記号群を提供してもよく、また、残り受信された記号群を廃棄してもよい。スケーリングユニット９１８は、ＵＥ１２０により実施されたスペクトル形成に基づいてＱ個の受信された記号群のスケーリングを行ってもよい。ＩＤＦＴユニット９２０は、Ｑ個の受信された記号群に対してＱ点ＩＤＦＴを実施し、Ｑ個の復調された記号群を提供してもよい。ＲＸ  ＭＩＭＯプロセッサ７６０は、Ｒ個の復調器７５４ａ〜７５４ｒの全てからの復調された記号群に対してＭＩＭＯ検出を実施し、制御情報用の検出された記号群をＲＸ制御プロセッサ９３０へ提供し、データ用の検出された記号群をＲＸデータプロセッサ９３２へ提供してもよい。ＲＸ制御プロセッサ９３０は、その検出された記号群を処理し、復号された制御情報、例えばＡＣＫ及び／又はＣＱＩを提供してもよい。プロセッサ９３０は、検出された記号群を適切な巡回シフトシーケンス群に関連付け、１つ又は複数の閾値に対する相関結果を比較し、比較結果に基づいて復号された制御情報を取得してもよい。ＲＸデータプロセッサ９３２は、その検出された記号群を処理し、復号されたデータを提供してもよい。
【００６０】
図１０は、無線通信システムにおいて情報を交換する処理１０００の設計を示している。処理１０００は、ＵＥ、基地局（例えばｅＮＢ）、又は他の要素により実施されてもよい。第１のシーケンスは、基本シーケンスを第１の量で巡回シフトすることにより生成されてもよい（ブロック１０１２）。第２のシーケンスは、基本シーケンスを第２の量で巡回シフトすることにより生成されてもよい（ブロック１０１４）。基本シーケンスは、ＣＡＺＡＣシーケンス、ＰＮシーケンス、又は良好な相関特性を有するいくつかの別のシーケンスであってもよい。第１及び第２のシーケンス用の巡回シフトは、ホッピングパターンに基づいて決定されてもよい。ホッピングパターンは、セルに固有で、データ伝送用に割り当てられたリソース群に基づいて決定されてもよい。
【００６１】
第１のシーケンスは、第１の時間間隔において情報を交換する（例えば送信する又は受信する）ために使用されてもよい（ブロック１０１６）。第２のシーケンスは、第１のシーケンスの巡回シフトであり、第２の時間間隔において情報を交換するために使用されてもよい（ブロック１０１８）。第３のシーケンスは、第１のシーケンスの別の巡回シフトであり、第３の時間間隔において情報を交換する（例えば送信する又は受信する）ために使用されてもよい。また、第１又は第２のシーケンスは、基準信号用に使用されてもよい。第１及び第２の時間間隔は、異なる記号期間群、複数の記号期間群の異なるスロット群、異なるサブフレーム群などに相当するものであってもよい。
【００６２】
図１１は、情報を送信するためのトランスミッタ、例えばＵＥにより実施されるプロセス１１００の設計を示している。プロセス１１００は、図１０中のブロック１０１６及び１０１８の１つの設計である。第１及び第２の変調記号群は、ＡＣＫ、ＣＱＩ、及び／又は他の情報に基づいて生成されてもよい（ブロック１１１２）。第１の変調されたシーケンスは、第１のシーケンス及び第１の変調記号に基づいて生成されてもよい（ブロック１１１４）。第２の変調されたシーケンスは、第２のシーケンス及び第２の変調記号に基づいて生成されてもよい（ブロック１１１６）。ブロック１１１４については、第１のシーケンス用のＫ個のサンプル群の各々が第１の変調記号で乗算されて、第１の変調されたシーケンス用のＫ個の記号群のうちの該当する１つを取得してもよい。同様な処理が第２の変調されたシーケンスのために実施されてもよい。
【００６３】
第１の変調されたシーケンスは、例えば第１の時間間隔においてＫ個の連続するサブキャリア群上にて第１の変調されたシーケンス用のＫ個の記号群を送信することにより、第１の時間間隔において送信されてもよい（ブロック１１１８）。第２の変調されたシーケンスは、例えば第２の時間間隔においてＫ個の連続するサブキャリア群上にて第２の変調されたシーケンス用のＫ個の記号群を送信することにより、第２の時間間隔において送信されてもよい（ブロック１１２０）。
【００６４】
図１２は、情報を受信するためのレシーバ、例えばｅＮＢにより実施される処理１２００の設計を示している。処理１２００は、図１０中のブロック１０１６及び１０１８の他の設計である。第１の変調されたシーケンスは、第１の時間間隔において（例えばＫ個の連続するサブキャリア群上にて）受信されてもよいブロック１２１２）。第２の変調されたシーケンスは、第２の時間間隔において（例えばＫ個の連続するサブキャリア群上にて）受信されてもよい（ブロック１２１４）。第１の変調されたシーケンスは、第１の時間間隔において送信された情報を取得するために第１のシーケンスに関連付けられてもよい。第２の変調されたシーケンスは、第２の時間間隔において送信された情報を取得するために第２のシーケンスに関連付けられてもよい。 
ｅＮＢは、Ｍ個のホッピングパターン群をＭ個のＵＥ群に割り当ててもよい。ここで、Ｍ個のホッピングパターン群は、各時間間隔における基本シーケンスのＭ個の異なる巡回シフトと関連付けられている。各時間間隔においては、ｅＮＢは、巡回シフト群が異なるＭ個のシーケンス群を用いることにより、Ｍ個のＵＥ群によって同時に送信された情報を受信してもよい。
【００６５】
図１３は、無線通信システムにおいてデータを交換するための装置１３００の設計を示している。装置１３００は、基本シーケンスを第１の量で巡回シフトすることにより第１のシーケンスを生成する手段（ブロック１０１２）、前記基本シーケンスを第２の量で巡回シフトすることにより第２のシーケンスを生成する手段（ブロック１０１４）、第１の時間間隔において情報を交換するための前記第１のシーケンスを使用する手段（ブロック１０１６）、及び、第２の時間間隔において情報を交換するための、前記第１のシーケンスの巡回シフトである前記第２のシーケンスを使用する手段（ブロック１０１８）を含んでいる。図１３に示されるモジュール群は、プロセッサ群、電子機器群、ハードウェア機器群、電子部品群、論理回路群、メモリ群、など、もしくはそれらの任意の組合せを含んでいる。
【００６６】
当業者は、情報及び信号が、様々な異なる技術及び技法のうちの任意の１つを用いて表されうることを理解するであろう。例えば、上記記載を通して参照されうるデータ、命令、コマンド、情報、信号、ビット、記号、及びチップは、電圧、電流、電磁波、磁界あるいは磁気粒子、光場あるいは光粒子、又はそれらの任意の組合せによって表されうる。
【００６７】
当業者は更に、本明細書における開示に関連して記載された、実例となる様々な論理ブロック、モジュール、回路、及びアルゴリズムステップが、電子工学的ハードウェア、コンピュータソフトウェア、又はそれらの組合せとして実現されうることをよく理解するであろう。ハードウェアとソフトウェアとの相互置換性を明確に説明するために、様々な実例となる構成要素、ブロック、モジュール、回路、及びステップが、それらの機能の観点から一般的に説明された。このような機能が、ハードウェアとして実現されるかソフトウェアとして実現されるかは、システム全体に課された設計制約及び特定のアプリケーションによる。当業者は、各特定のアプリケーションのために上述した機能を様々な方法で実現することができるが、このような実現の決定は、本開示の範囲から逸脱させるものとして解釈されてはならない。
【００６８】
本明細書における開示に関連して示された様々な例示的論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、又は本明細書に示す機能を実行するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、又は状態機器を用いることも可能である。プロセッサは、例えばＤＳＰとマイクロプロセッサとの組み合わせ、複数のマイクロプロセッサ、ＤＳＰコアに接続された１つ又は複数のマイクロプロセッサ、又はこのような任意の構成である計算デバイスの組み合わせとして実現することも可能である。
【００６９】
本明細書における開示に関連して記述された方法やアルゴリズムのステップは、ハードウェアによって直接、プロセッサによって実行されるソフトウェア・モジュールによって、又は、これらの組み合わせによって具現化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他任意の形式の記憶媒体に収納されうる。典型的な記憶媒体は、プロセッサがそこから情報を読み取り、またそこに情報を書き込むことができるように、プロセッサに統合されうる。このプロセッサと記憶媒体とは、ＡＳＩＣ内に存在することができる。ＡＳＩＣは、ユーザ端末内に存在することができる。あるいはこのプロセッサと記憶媒体とは、ユーザ端末内のディスクリート部品として存在することができる。
【００７０】
１つ又は複数の典型的な設計において、説明された機能は、ハードウェア、ソフトウェア、ファームウェア、又はそれら任意の組み合わせによって実現されうる。ソフトウェアによって実現される場合、機能は、コンピュータ読取可能媒体上の１つ又は複数の命令又はコードとして格納又は送信されうる。コンピュータ読取可能媒体は、１つの場所から別の場所へのコンピュータ・プログラムの転送を容易にする任意の媒体を含む通信媒体及びコンピュータ記憶媒体両方を含む。記憶媒体は、コンピュータによってアクセス可能である任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいはその他の光ディスク記憶媒体、磁気ディスク記憶媒体あるいはその他の磁気記憶媒体、又は、コンピュータによってアクセス可能であり、命令又はデータ構成の形式で望まれるプログラム・コードを搬送又は格納するために用いられることができるその他任意の媒体を備えることができる。また、任意の接続が、コンピュータ読取可能媒体と適切に称される。例えば、ソフトウェアが、ウェブサイト、サーバ、又は、同軸ケーブル、光ファイバー・ケーブル、ツイスト・ペア、ＤＳＬ、あるいは例えば赤外線、無線、及びマイクロ波のような無線技術を用いるその他の遠隔ソースから送信される場合、同軸ケーブル、光ファイバー・ケーブル、ツイスト線ペア、ＤＳＬ、又は、例えば赤外線、無線、及びマイクロ波のような無線技術は、媒体の定義内に含まれる。本明細書で用いられるディスク（disk）及びディスク（disc）は、コンパクト・ディスク（disc）（ＣＤ）、レーザ・ディスク（disc）、光ディスク（disc）、デジタル・バーサタイル・ディスク（disc）（ＤＶＤ）、フロッピー（登録商標）ディスク（disk）、及びブルーレイ・ディスク（disc）を含み、ディスク（disk）は通常データを磁気的に再生するのに対し、ディスク（disc）はレーザによって光的にデータを再生する。上記の組み合わせもまた、コンピュータ読取可能媒体の範囲内に含まれるべきである。
【００７１】
本開示における上記記載は、当業者をして、本開示の製造又は利用を可能とするために提供される。本開示への様々な変形例もまた、当業者には明らかであり、本明細書で定義された一般原理は、本発明の精神又は範囲から逸脱することなく他の実施形態にも適用されうる。従って本発明は、本明細書で説明された例及び設計に限定することは意図されておらず、本明細書に開示された原理及び新規特徴と整合が取れた最も広い範囲と一致するように意図されている。
【図１】
0005405318.tif 000010
【図２】
0005405318.tif 000011
【図３】
0005405318.tif 000012
【図４】
0005405318.tif 000013
【図５】
0005405318.tif 000014
【図６Ａ】
0005405318.tif 000015
【図６Ｂ】
0005405318.tif 000016
【図７】
0005405318.tif 000017
【図８】
0005405318.tif 000018
【図９】
0005405318.tif 000019
【図１０】
0005405318.tif 000020
【図１１】
0005405318.tif 000021
【図１２】
0005405318.tif 000022
【図１３】
0005405318.tif 000023